(57)【特許請求の範囲】
【請求項１】
少なくとも操作部が内側面に設けられた下部筐体部と、少なくとも表示部が内側面に設けられた上部筐体部の各々の端部同士がヒンジで回動自在に結合され、内側面同士が互いに密接対向した閉状態と、互いの内側面が離間された開状態のうち、何れか一方の状態とされる折り畳み型携帯電話機であって、
前記下部筐体部及び前記上部筐体部の一方の内側面に設けられた送話器と、
前記下部筐体部及び前記上部筐体部の他方の内側面に設けられた送話器兼用受話器と、
該送話器兼用受話器と連通するように前記他方の筐体部の外側面に設けられた送話音孔と、
該他方の筐体部の外側面に設けられた受話器と
を有し、開状態の通話時は前記送話器兼用受話器を受話器として使用すると共に前記送話器を使用し、開状態の通話時は前記送話器兼用受話器を前記送話音孔を介して送話器として使用すると共に前記受話器を使用することを特徴とする携帯電話機。
【請求項２】
前記開状態か前記閉状態かを検出する開閉検出手段と、前記送話器兼用受話器の受話特性に応じた所定の周波数特性を受話音声信号に付与して前記送話器兼用受話器に供給する第１の受話回路と、前記受話器の周波数特性に応じて前記送話器兼用受話器に供給される受話音声信号とほぼ同じ周波数特性となる周波数特性を前記受話音声信号に付与して前記受話器に供給する第２の受話回路と、前記開閉検出手段から開状態検出信号が出力されるときは受話音声信号を前記第１の受話回路に供給すると共に、該第１の受話回路の出力受話音声信号を前記送話器兼用受話器に供給し、前記開閉検出手段から閉状態検出信号が出力されるときは受話音声信号を前記第２の受話回路に供給する受話器選択手段とを有することを特徴とする請求項１記載の携帯電話機。
【請求項３】
前記送話器の周波数特性に応じた所定の周波数特性を送話音声信号に付与する第１の送話回路と、前記送話器兼用受話器の送話特性に応じて前記第１の送話回路から出力される送話音声信号とほぼ同じ周波数特性となる周波数特性を前記送話器兼用受話器からの送話音声信号に付与する第２の送話回路と、前記開閉検出手段から開状態検出信号が出力されるときは前記第１の送話回路の出力送話音声信号を無線送信手段に供給して送信させ、前記開閉検出手段から閉状態検出信号が出力されるときは前記送話器兼用受話器からの送話音声信号を前記第２の送話回路に供給すると共に、該第２の送話回路の出力送話音声信号を前記無線送信手段に供給して送信させる送話器選択手段とを更に有することを特徴とする請求項２記載の携帯電話機。
【発明の詳細な説明】
【０００１】
【発明の属する技術分野】
本発明は携帯電話機に係り、特に操作部が設けられた筐体部が使用時には他の筐体部に覆われた状態から露出するようにされる携帯電話機に関する。
【０００２】
【従来の技術】
従来の自動車電話機では、自動車の中のみならず屋外では送受話器をコードレスの携帯電話機として使用する場合、ダイヤルキーインするために背側を正面にしてつかみ、その後通話をするために持ち替え、腹側で通話をしなければならず、持ち替えるという操作性の悪さを改善するために、送受話器の腹側と背側の両側に受話ユニット音孔とマイクロホン音孔を設けるようにした携帯電話機が知られている（特開平３−２０１７５３号公報：発明の名称「両面送受話器」）。
【０００３】
この従来の携帯電話機では、電話機の送受話器の腹側と背側とに同じ位置に、一対の受話ユニット音孔と、一対のマイクロホン音孔を設けることにより、腹側と背側のどちらの面からも通話可能としている。
【０００４】
【発明が解決しようとする課題】
しかるに、操作部や送話器が内側面に設けられた下部筐体部と、表示部や受話器が内側面に設けられた上部筐体部の各々の端部同士がヒンジで回動自在に結合され、不使用時は内側面同士が互いに密接対向した閉状態とされ、使用時は互いの内側面が離間された開状態とされる折り畳み型携帯電話機に上記の従来の構成を適用した場合は、閉状態では受話音孔と送話音孔とが互いの背面に位置するため通話できないという問題がある。また、受話音孔の背面は送話音孔とすることが閉状態から開状態としたときに通話し易いこともあり、上記の従来の構成を適用することができない。
【０００５】
本発明は以上の点に鑑みなされたもので、操作部が筐体部に収納されている状態（閉状態）でも、操作部が筐体部から露出された状態（開状態）と同様に通話が可能な携帯電話機を提供することを目的とする。
【０００６】
また、本発明の他の目的は、閉状態と開状態とで通話の違和感の無い携帯電話機を提供することにある。
【０００７】
【課題を解決するための手段】
上記の目的を達成するため、第１の発明は、少なくとも操作部が内側面に設けられた下部筐体部と、少なくとも表示部が内側面に設けられた上部筐体部の各々の端部同士がヒンジで回動自在に結合され、内側面同士が互いに密接対向した閉状態と、互いの内側面が離間された開状態のうち、何れか一方の状態とされる折り畳み型携帯電話機であって、下部筐体部及び上部筐体部の一方の内側面に設けられた送話器と、下部筐体部及び上部筐体部の他方の内側面に設けられた送話器兼用受話器と、送話器兼用受話器と連通するように他方の筐体部の外側面に設けられた送話音孔と、他方の筐体部の外側面に設けられた受話器とを有する構成としたものである。
【００１３】
この発明では、開状態のときは送話器兼用受話器を受話器として使用すると共に送話器を使用して通話でき、閉状態のときは送話器兼用受話器を送話音孔を介して送話器として使用すると共に受話器を使用して通話することができる。
【００１４】
また、上記の目的を達成するため、第２の発明は、開状態か閉状態かを検出する開閉検出手段と、送話器兼用受話器の受話特性に応じた所定の周波数特性を受話音声信号に付与して送話器兼用受話器に供給する第１の受話回路と、受話器の周波数特性に応じて送話器兼用受話器に供給される受話音声信号とほぼ同じ周波数特性となる周波数特性を受話音声信号に付与して受話器に供給する第２の受話回路と、開閉検出手段から開状態検出信号が出力されるときは受話音声信号を第１の受話回路に供給すると共に、第１の受話回路の出力受話音声信号を送話器兼用受話器に供給し、開閉検出手段から閉状態検出信号が出力されるときは受話音声信号を第２の受話回路に供給する受話器選択手段とを有する構成としたものである。
【００１５】
この発明では、閉状態のときに使用される受話器の周波数特性に応じて、開状態のときに受話器として使用される受話器に供給される受話音声信号とほぼ同じ周波数特性となる周波数特性を、第２の受話回路により受話音声信号に付与して受話器に供給するようにしたため、閉状態のときに使用される受話器からの受話音声と、開状態のときに受話器として使用される送話器兼用受話器からの受話音声とを同じ特性とすることができる。
【００１６】
また、上記の目的を達成するため、第３の発明は、送話器の周波数特性に応じた所定の周波数特性を送話音声信号に付与する第１の送話回路と、送話器兼用受話器の送話特性に応じて第１の送話回路から出力される送話音声信号とほぼ同じ周波数特性となる周波数特性を送話器兼用受話器からの送話音声信号に付与する第２の送話回路と、開閉検出手段から開状態検出信号が出力されるときは第１の送話回路の出力送話音声信号を無線送信手段に供給して送信させ、開閉検出手段から閉状態検出信号が出力されるときは送話器兼用受話器からの送話音声信号を第２の送話回路に供給すると共に、第２の送話回路の出力送話音声信号を無線送信手段に供給して送信させる送話器選択手段とを更に有する構成としたものである。
【００１７】
この発明では、閉状態のときに送話器として使用される送話器兼用受話器からの送話音声信号を、開状態のときに使用される送話器からの送話音声信号とほぼ同じ周波数となるようにしたため、送話器と送話器兼用受話器のどちらを使用しても同様の特性の送話音声信号を無線送信することができる。
【００２０】
【発明の実施の形態】
次に、本発明の実施の形態について図面と共に説明する。図１（Ａ）、（Ｂ）、（Ｃ）及び（Ｄ）は、本発明になる携帯電話機の一実施の形態の開状態斜視図、閉状態斜視図、概略縦断側面図、要部構成図を示す。本実施の形態の携帯電話機は、折り畳み型携帯電話機であって、図１（Ａ）に示すように、下部筐体部１と上部筐体部２の各端部がヒンジ３により回動自在に結合されており、下部筐体部の内側面にはキー操作部４や送話器５が設けられ、上部筐体部２の内側面には液晶表示部６や受話器７が設けられている。また、上部筐体部２のヒンジ３と反対側端部には、アンテナ８が設けられている。
【００２１】
本実施の形態の折り畳み型携帯電話機は、使用時は図１（Ａ）に示すように、それら下部筐体部１と上部筐体部２の各内側面同士が互いに離間された開状態とされる。また、携行時などでは図１（Ｂ）に示すように、下部筐体部１と上部筐体部２の各内側面同士が密接対向された閉状態（折り畳み状態）とされる。
【００２２】
また、本実施の形態では、図１（Ｂ）に示すように、上部筐体部２の外側面（背面）のアンテナ８側部分には第２の送話器９が設けられ、ヒンジ３側部分には第２の受話器１０が設けられている。更に、本実施の形態では、図１（Ｃ）に示すように、上部筐体部２にマグネット１１が埋設されると共に、下部筐体部１にホールＩＣ１２が埋設され、これらは、図１（Ｄ）に示すように、折り畳み状態のときに、丁度対向する位置に配設されている。
【００２３】
図１（Ｄ）に示すように、上記のホールＩＣ１２は、下部筐体部１内のホールＩＣ出力検出回路１３に接続されている。ホールＩＣ１２は、磁束の有無に応じて異なる論理値を出力する集積回路で、例えば、図１（Ｄ）に示すように、折り畳み状態（閉状態）のときには、マグネット１１がホールＩＣ１２に最も近接するため、ホールＩＣ１２はマグネット１１の磁束を検出して、例えば論理”Ｌ”を出力し、他方、開状態のときには、マグネット１１が図１（Ｃ）に示すように、ホールＩＣ１２から遠い位置にあるため、ホールＩＣ１２は磁束を検出でキズ、このときは論理”Ｈ”を出力する。ホールＩＣ出力検出回路１３は、ホールＩＣ１２の論理出力が”Ｌ”のとき閉状態検出信号を出力し、”Ｈ”のとき開状態検出信号を出力する。
【００２４】
図２は本発明になる携帯電話機の一実施の形態のブロック図を示す。同図中、図１と同一構成部分には同一符号を付し、その説明を省略する。図２において、携帯電話機は、図示しない基地局と無線回線接続するためのアンテナ８及び無線部１５と、無線部１５に接続する受話器選択回路１６及び送話器選択回路１７と、開閉検出回路１８と、受話器７、１０に接続された受話回路１９、２０と、送話器５、９に接続された送話回路２１、２２とよりなる。
【００２５】
無線部１５は、基地局に対する送信時は送信信号を無線帯域に変調し、受信時は受信信号を音声帯域に復調する。無線部１５により復調されて得られた受信音声信号は、受話器選択回路１６に入力される。送話器選択回路１７からの送話音声信号は、無線部１５に入力されて変調されて無線帯域に変換されて、基地局へ送信される。
【００２６】
開閉検出回路１８は、図１（Ｃ）及び（Ｄ）に示したマグネット１１、ホールＩＣ１２及びホールＩＣ出力検出回路１３より構成されており、受話器選択回路１６及び送話器選択回路１７に検出信号を選択信号として供給して、これらを選択制御する。
【００２７】
次に、本実施の形態の動作について説明する。まず、図１（Ａ）に示した開状態で通話する場合の動作について説明する。図２において、開状態検出時は開閉検出回路１８からの検出信号により、受話器選択回路１６が受話回路１９の入力端に接続されると共に、送話器選択回路１７が送話回路２１の出力端に接続される。これにより、図示しない基地局から送信された相手方からの信号は、アンテナ８で受信されて無線部１５で受話音声信号に復調された後、受話器選択回路１６により受話回路１９に供給されて増幅され、更に受話器７により電気−音響変換されて受話音声として発音される。
【００２８】
一方、使用者の送話音声は、送話器５により音響−電気変換され、音声信号とされて送話回路２１により所定の周波数特性が付与された後、送話器選択回路１７を介して無線部１５に供給され、ここで変調されて所定の無線帯域に変換され、アンテナ８より基地局へ無線送信される。
【００２９】
次に、図１（Ｂ）に示した閉状態で通話する場合の動作について説明する。図２において、閉状態検出時は開閉検出回路１８からの検出信号により、受話器選択回路１６が受話回路２０の入力端に接続されると共に、送話器選択回路１７が送話回路２２の出力端に接続される。これにより、図示しない基地局から送信された相手方からの信号は、アンテナ８で受信されて無線部１５で受話音声信号に復調された後、受話器選択回路１６により受話回路２０に供給されて増幅され、更に受話器１０により電気−音響変換されて受話音声として発音される。
【００３０】
一方、使用者の送話音声は、送話器９により音響−電気変換され、音声信号とされて送話回路２２により所定の周波数特性が付与された後、送話器選択回路１７を介して無線部１５に供給され、ここで変調されて所定の無線帯域に変換され、アンテナ８より基地局へ無線送信される。このようにして、本実施の形態では、従来と同様に開状態で相手方と通話できる事は勿論のこと、閉状態であっても相手方と通話ができる。
【００３１】
ここで、受話器７と受話器１０は、図１に示したように実装位置が異なるが、それだけではなく、取り付けスペースが異なるため、異なる構造とされており、このことから、互いの受話器の周波数特性が異なる。従って、使用者に通話時の違和感を与えなくするため、受話器７と受話器１０の聴感上の特性を合わせ込む必要があり、この補正を電気的に行うのが受話回路１９及び２０の働きである。
【００３２】
図３（Ａ）は受話器７の周波数特性の一例を示す。受話回路１９の周波数特性は図４（Ａ）に示すように、概略フラットな増幅特性であるため、受話器７の受聴周波数特性はやはり図３（Ａ）とほぼ同一になる。一方、受話器１０の周波数特性は、例えば図３（Ｂ）に示され、同図（Ａ）に示した受話器７の周波数特性とは異なる。そこで、本実施の形態では、受話回路２０の周波数特性を図４（Ｂ）に示すように設定する。これにより、受話回路２０と受話器１０の合成周波数特性は、図３（Ａ）に示した周波数特性とほぼ同一になるため、受話器１０で受聴する音声は、受話器７で受聴する音声と聴感上一致させることができる。
【００３３】
次に、送話器５と送話器９の違いについて説明する。送話器５と送話器９は、通話時の使用者の口元との距離が異なるため、送話音声の大きさが異なる。すなわち、折り畳み型携帯電話機の開状態では、送話器５は口元直近になるが、閉状態では使用者は受話器１０を耳元に持ってくるため、送話器９は口元より離れる。従って、送話器５は送話音声が大きく、送話器９は送話音声が小さいことになる。これを補正するのが送話回路２１及び２２であり、送話回路２１のゲインは、送話回路２２のゲインよりも小さく設定されている。こうしておくことで、閉状態と開状態の送話音声レベルを同じにして、相手の受聴音量を同じにし、通話時の相手の違和感を無くすことができる。
【００３４】
次に、本発明の他の実施の形態について説明する。図５は本発明になる携帯電話機の他の実施の形態の概略縦断側面図を示す。同図中、図１と同一構成部分には同一符号を付してある。図５に示す実施の形態は、送話器兼用受話器２４を上部筐体部２に配置すると共に、送話器兼用受話器２４の背面に連通する送話音孔２５を上部筐体部２に設けた点に特徴がある。送話器兼用受話器２４は、上部筐体部２の内側面において受話器として動作し、外側面（背面）において送話器として動作する。
【００３５】
図６は本発明になる携帯電話機の他の実施の形態のブロック図を示す。同図中、図２及び図５と同一構成部分には同一符号を付し、その説明を省略する。図６において、開状態時の動作は図２と同じである。ただし、このときには選択回路２７は受話回路１９の出力端を送話器兼用受話器２４に接続するように切り替えられる。
【００３６】
次に、閉状態での通話時の動作について説明する。図６において、閉状態検出時は開閉検出回路１８からの検出信号により、受話器選択回路１６が受話回路２０の入力端に接続され、送話器選択回路１７が送話回路２８の出力端に接続され、選択回路２７が送話回路２８の入力端に接続される。これにより、図示しない基地局から送信された相手方からの信号は、アンテナ８で受信されて無線部１５で受話音声信号に復調された後、受話器選択回路１６により受話回路２０に供給されて増幅され、更に受話器１０により電気−音響変換されて受話音声として発音される。
【００３７】
一方、使用者の送話音声は、図５の送話音孔２５を通して送話器兼用受話器２４により収音されて音響−電気変換され、音声信号とされて図６の送話回路２８により後述する所定の増幅周波数特性が付与された後、送話器選択回路１７を介して無線部１５に供給され、ここで変調されて所定の無線帯域に変換され、アンテナ８より基地局へ無線送信される。このようにして、本実施の形態では、従来と同様に開状態で相手方と通話できる事は勿論のこと、閉状態であっても開状態と違和感無く相手方と通話ができる。
【００３８】
ここで、送話器兼用受話器２４の送話特性は、例えば、図７に示すように、７００〜８００Ｈｚ付近と３ｋＨｚ近傍でピークを有するような周波数特性である。そこで、送話回路２８は、図８に示すような、７００〜８００Ｈｚ付近と３ｋＨｚ近傍でディップを有する増幅周波数特性に設定される。これにより、送話回路２８から送話器選択回路１７を介して無線部１５に供給される送話用音声信号は、平坦な周波数特性が付与されることとなる。なお、図８のような複雑な増幅周波数特性を実現する方法としては、ディジタル・シグナル・プロセッサ（ＤＳＰ）による信号処理を用いることができる。
【００３９】
以上は本発明を折り畳み型携帯電話機に適用した実施の形態であったが、本発明はこれに限定されるものではなく、図８の斜視図及び図９の側面図に示すスライド型携帯電話機にも適用可能である。携帯電話機は、図９に示すように筐体部３１の下側からスライド操作部３２が引き出されて使用されるが、携行時は図１０に示すように、スライド操作部３２が筐体部３１の下側に配置される。
【００４０】
筐体部３１の上面には、中央に液晶表示部３３が配置され、上部に受話器３４が、下部に送話器３５が配置され、更に上端にはアンテナ３６が配置されている。また、筐体部３１の左右の側面にはスライド操作部３２の内側側端部に設けられた凸部と係合するスライド溝３８が形成されている。また、スライド操作部３２の上面には、図９に示すように、キー操作部３９と送話器４０が配置されている。
【００４１】
ここで、通常の使用時は図９に示すように、スライド操作部３２が筐体部３１の下部から引き出されて受話器３４と送話器４０が使用される。一方、スライド操作部３２が筐体部３１の下部に収納されている状態では、送話器４０が筐体部３１により覆われるので、送話器４０の代わりに送話器３５が使用される。また、受話器３４はスライド操作部３２のスライドの有無に関係なく共通に使用される。
【００４２】
この実施の形態でも、前述した各実施の形態と同様に、送話器３５と送話器４０の周波数特性に応じて送話回路の周波数特性を設定することにより、スライド操作部３２を図１０のように収納しているときでも、図９に示した引き出した状態と違和感の無い通話ができる。
【００４３】
なお、本発明は以上の実施の形態に限定されるものではなく、例えば、図１（Ｂ）では上部筐体部２の背面に送話器９と受話器１０を設けたが、下部筐体部１に送話器と受話器を設けるようにしてもよい。また、図５の送話器兼用受話器２４と送話音孔２５は、下部筐体部１に設けるようにしてもよい。
【００４４】
【発明の効果】
以上説明したように、本発明によれば、開状態のときは送話器兼用受話器を受話器として使用すると共に送話器を使用して通話でき、閉状態のときは送話器兼用受話器を送話音孔を介して送話器として使用すると共に受話器を使用して通話できるようにしたため、送話器兼用受話器を用いて開状態及び閉状態のいずれも通話ができ、使い勝手を向上できる。
【００４８】
また、本発明によれば、閉状態のときに使用される受話器からの受話音声と、開状態のときに受話器として使用される送話器兼用受話器からの受話音声とを同じ特性とするようにしたため、開状態のときと閉状態のときとで違和感の無い通話ができる。
【００４９】
更に、本発明によれば、閉状態のときに送話器として使用される送話器兼用受話器からの送話音声信号を、開状態のときに使用される送話器からの送話音声信号とほぼ同じ周波数とすることにより、送話器と送話器兼用受話器のどちらを使用しても同様の特性の送話音声信号を無線送信することができるようにしたため、相手方に違和感を与えない送話音声の送信ができる。
【図面の簡単な説明】
【図１】本発明の一実施の形態の各状態の斜視図及び概略縦断面図及び要部の構成図である。
【図２】本発明の一実施の形態のブロック図である。
【図３】図１及び図２中の２つの受話器の各周波数特性の一例を示す図である。
【図４】図２中の２つの送話回路の周波数特性を示す図である。
【図５】本発明の他の実施の形態の概略縦断面図である。
【図６】本発明の他の実施の形態のブロック図である。
【図７】図６中の送話器兼用受話器の送話特性の一例を示す図である。
【図８】図６中の送話回路の周波数特性を示す図である。
【図９】本発明の更に他の実施の形態の引き出し状態の斜視図である。
【図１０】本発明の更に他の実施の形態の収納状態の側面図である。
【符号の説明】
１  下部筐体部
２  上部筐体部
３  ヒンジ
４、３９  キー操作部
５、９、３５、４０  送話器
６、３３  液晶表示部
７、１０、３４  受話器
８、３６  アンテナ
１１  マグネット
１２  ホールＩＣ
１３  ホールＩＣ出力検出回路
１５  無線部
１６  受話器選択回路
１７  送話器選択回路
１８  開閉検出回路
１９、２０  受話回路
２１、２２、２８  送話回路
２４  送話器兼用受話器
２５  送話音孔
２７  選択回路
３１  筐体部
３２  スライド操作部
【図１】
0003751895.tif 000002
【図２】
0003751895.tif 000003
【図３】
0003751895.tif 000004
【図４】
0003751895.tif 000005
【図５】
0003751895.tif 000006
【図６】
0003751895.tif 000007
【図７】
0003751895.tif 000008
【図８】
0003751895.tif 000009
【図９】
0003751895.tif 000010
【図１０】
0003751895.tif 000011